【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
ユーザがユーザ端末を用いて通信ネットワークを介してアクセスし、商品を仮想ショッピングカートの記憶領域に記憶させながら商品を購入可能なサイトを提供する商品販売システムであって、
前記商品販売システムは、
購入可能な商品を表示する商品情報画面を前記ユーザ端末に送信する商品情報画面送信部と、
前記仮想ショッピングカートの記憶領域に記憶された商品の合計金額を表示する合計金額確認画面を生成して前記ユーザ端末に送信する合計金額確認画面生成部と、
前記ユーザの特性情報を記憶するユーザ情報記憶部と、
割引額と割引を受けるために必要な内容が表示されるアフィリエイトコンテンツを記憶するコンテンツ記憶部と、を備えた商品販売サーバを有しており、
前記合計金額確認画面生成部は、
前記ユーザの特性情報と、前記仮想ショッピングカートに記憶されている商品または商品のカテゴリーと、に対応するアフィリエイトコンテンツを前記コンテンツ記憶部から抽出し、
前記仮想ショッピングカートの記憶領域に記憶された商品の合計金額と前記抽出したアフィリエイトコンテンツとを表示する合計金額確認画面を生成して前記ユーザ端末に送信し、
前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行う、
ことを特徴とする商品販売システム。
【請求項２】
前記合計金額確認画面生成部は、商品の注文者情報又は配送先情報の入力を受け付け可能になっており、
前記アフィリエイトコンテンツに入力された情報が虚偽の情報であるかを判定する虚偽情報判定部と、
前記虚偽情報判定部で虚偽の情報が入力されたと判定すると、アフィリエイトコンテンツに入力された情報を、前記購入した商品の注文者情報または配達先の情報で更新する情報修正処理部と、を有する、
ことを特徴とする請求項１に記載の商品販売システム。
【請求項３】
前記虚偽情報判定部は、
前記入力されたアフィリエイトコンテンツに対する前記ユーザの属性情報と、前記商品の注文者情報または配達先の情報とを比較し、一致していない場合に、虚偽の情報の入力がされたと判定する、
ことを特徴とする請求項２に記載の商品販売システム。
【請求項４】
前記虚偽情報判定部は、
前記商品の注文者情報または配達先の情報の入力欄に反映された、前記アフィリエイトコンテンツに対する前記ユーザの属性情報に対する変更処理の有無を監視し、
前記変更処理が行われた場合に、虚偽の情報の入力がされたと判定する、
ことを特徴とする請求項２に記載の商品販売システム。
【請求項５】
前記合計金額確認画面生成部は、
前記商品サーバと前記ユーザ端末とが同一のセッションＩＤによりセッションが確立されている間に前記合計金額確認画面生成処理を行うようになっており、
前記合計金額確認画面生成処理は、
前記ユーザの特性情報と、前記仮想ショッピングカートに記憶されている商品または商品のカテゴリーと、に対応するアフィリエイトコンテンツをコンテンツ記憶部から抽出し、
前記抽出したアフィリエイトコンテンツの識別情報と、前記ユーザが過去に指定したアフィリエイトコンテンツの識別情報とを比較し、抽出したアフィリエイトコンテンツが、過去に指定したアフィリエイトコンテンツの場合には、ほかのアフィリエイトコンテンツを前記コンテンツ記憶部から抽出し、
前記仮想ショッピングカートの記憶領域に記憶された商品の合計金額と前記抽出したアフィリエイトコンテンツとを表示する合計金額確認画面を生成して前記ユーザ端末に送信し、
前記表示したアフィリエイトコンテンツのうち、前記ユーザにより指定されたアフィリエイトコンテンツに対応する所定の操作が前記ユーザ端末から行われると、前記指定されたアフィリエイトコンテンツの割引額を前記合計金額から減算し、前記割引額および減算後の商品の合計金額を前記仮想ショッピングカートの記憶領域に記憶させるとともに、前記減算後の合計金額を表示する合計金額確認画面を生成して前記ユーザ端末に送信し、
前記セッションが消滅した場合には、前記消滅したセッションのセッションＩＤに対応する前記ユーザの前記仮想ショッピングカートの記憶領域から、前記アフィリエイトコンテンツの割引額の情報を消去することで、前記割引額の適用のない前記仮想ショッピングカートの記憶領域に記憶された商品の合計金額を表示する合計金額確認画面を生成して前記ユーザ端末に送信するようになっている、
ことを特徴とする請求項１又は２に記載の商品販売システム。
【請求項６】
前記合計金額確認画面生成部は、
前記商品サーバと前記ユーザ端末とが同一のセッションＩＤによりセッションが確立されている間に前記合計金額確認画面生成処理を行うようになっており、
前記合計金額確認画面生成処理は、
前記ユーザの特性情報と、前記仮想ショッピングカートに記憶されている商品または商品のカテゴリーと、に対応するアフィリエイトコンテンツをコンテンツ記憶部から抽出し、
前記抽出したアフィリエイトコンテンツの識別情報と、前記ユーザが過去に指定したアフィリエイトコンテンツの識別情報とを比較し、抽出したアフィリエイトコンテンツが、過去に指定したアフィリエイトコンテンツの場合には、ほかのアフィリエイトコンテンツを前記コンテンツ記憶部から抽出し、
前記仮想ショッピングカートの記憶領域に記憶された商品の合計金額と前記抽出したアフィリエイトコンテンツとを表示する合計金額確認画面を生成して前記ユーザ端末に送信し、
前記表示したアフィリエイトコンテンツのうち、前記ユーザにより指定されたアフィリエイトコンテンツに対応する所定の操作が前記ユーザ端末から行われると、前記指定されたアフィリエイトコンテンツの識別情報を一時記憶し、
前記指定されたアフィリエイトコンテンツの割引額を前記合計金額から減算し、前記割引額および減算後の商品の合計金額を前記仮想ショッピングカートの記憶領域に記憶させるとともに、前記減算後の合計金額を表示する合計金額確認画面を生成して前記ユーザ端末に送信し、
前記減算後の合計金額により注文確定処理が行われた後、前記一時記憶した前記指定されたアフィリエイトコンテンツの識別情報を、所定の記憶領域に記憶させることで、前記指定されたアフィリエイトコンテンツをすでに指定したアフィリエイトコンテンツとし、
前記注文確定処理の前に前記セッションが消滅した場合には、前記消滅したセッションのセッションＩＤに対応する前記ユーザの前記仮想ショッピングカートの記憶領域から、前記アフィリエイトコンテンツの割引額の情報を消去し、
前記一時記憶した前記指定されたアフィリエイトコンテンツの識別情報を消去し、
前記セッションとは異なるセッションが確立されると、前記割引額の適用のない前記仮想ショッピングカートの記憶領域に記憶された商品の合計金額を表示する合計金額確認画面を生成して前記ユーザ端末に送信するようになっている、
ことを特徴とする請求項１又は２に記載の商品販売システム。
【請求項７】
前記合計金額確認画面生成部は、
前記ユーザの特性情報と、前記仮想ショッピングカートに記憶されている商品または商品のカテゴリーと、に対応する複数のアフィリエイトコンテンツの割引額の合計額が設定制限を超える場合、設定制限以内で割引額の高い順の複数のアフィリエイトコンテンツを抽出して合計金額確認画面を生成する、
ことを特徴とする請求項１から請求項６のいずれかに記載の商品販売システム。
【請求項８】
前記合計金額確認画面生成部は、
前記抽出した複数のアフィリエイトコンテンツを割引額の高い順に並べ替えて配置するように合計金額確認画面を生成する、
ことを特徴とする請求項７に記載の商品販売システム。
【手続補正２】
【補正対象書類名】明細書
【補正対象項目名】０００９
【補正方法】変更
【補正の内容】
【０００９】
本発明は上記課題に鑑み提案するものであって、事業者が効果的な販促活動を行うことができるとともに、ユーザが、以前に購入経験がなくても、商品を低価格で購入することができ、商品販売サイトの運営者が低価格でユーザに商品を販売することができる商品販売システムを提供することを目的とする。
【手続補正３】
【補正対象書類名】明細書
【補正対象項目名】００１０
【補正方法】変更
【補正の内容】
【００１０】
本発明の商品販売システムは、ユーザがユーザ端末を用いて通信ネットワークを介してアクセスし、商品を仮想ショッピングカートの記憶領域に記憶させながら商品を購入可能なサイトを提供する商品販売システムであって、前記商品販売システムは、購入可能な商品を表示する商品情報画面を前記ユーザ端末に送信する商品情報画面送信部と、前記仮想ショッピングカートの記憶領域に記憶された商品の合計金額を表示する合計金額確認画面を生成して前記ユーザ端末に送信する合計金額確認画面生成部と、前記ユーザの特性情報を記憶するユーザ情報記憶部と、割引額と割引を受けるために必要な内容が表示されるアフィリエイトコンテンツを記憶するコンテンツ記憶部と、を備えた商品販売サーバを有しており、前記合計金額確認画面生成部は、前記ユーザの特性情報と、前記仮想ショッピングカートに記憶されている商品または商品のカテゴリーと、に対応するアフィリエイトコンテンツを前記コンテンツ記憶部から抽出し、前記仮想ショッピングカートの記憶領域に記憶された商品の合計金額と前記抽出したアフィリエイトコンテンツとを表示する合計金額確認画面を生成して前記ユーザ端末に送信し、前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行う。また、前記商品販売システムにおいて、前記合計金額確認画面生成部は、商品の注文者情報又は配送先情報の入力を受け付け可能になっており、前記アフィリエイトコンテンツに入力された情報が虚偽の情報であるかを判定する虚偽情報判定部と、前記虚偽情報判定部で虚偽の情報が入力されたと判定すると、アフィリエイトコンテンツに入力された情報を、前記購入した商品の注文者情報または配達先の情報で更新する情報修正処理部と、を有するように構成されていてもよい。なお、本発明に於ける商品には、物としての商品の他に、代金を出して購入可能なサービス（役務）も含まれる。
【手続補正４】
【補正対象書類名】明細書
【補正対象項目名】００１８
【補正方法】変更
【補正の内容】
【００１８】
また前記商品販売システムは以下のように構成することも出来る。すなわち、前記合計金額確認画面生成部は、前記商品サーバと前記ユーザ端末とが同一のセッションＩＤによりセッションが確立されている間に前記合計金額確認画面生成処理を行うようになっており、前記合計金額確認画面生成処理は、前記ユーザの特性情報と、前記仮想ショッピングカートに記憶されている商品または商品のカテゴリーと、に対応するアフィリエイトコンテンツをコンテンツ記憶部から抽出し、前記抽出したアフィリエイトコンテンツの識別情報と、前記ユーザが過去に指定したアフィリエイトコンテンツの識別情報とを比較し、抽出したアフィリエイトコンテンツが、過去に指定したアフィリエイトコンテンツの場合には、ほかのアフィリエイトコンテンツを前記コンテンツ記憶部から抽出し、前記仮想ショッピングカートの記憶領域に記憶された商品の合計金額と前記抽出したアフィリエイトコンテンツとを表示する合計金額確認画面を生成して前記ユーザ端末に送信し、前記表示したアフィリエイトコンテンツのうち、前記ユーザにより指定されたアフィリエイトコンテンツに対応する所定の操作が前記ユーザ端末から行われると、前記指定されたアフィリエイトコンテンツの割引額を前記合計金額から減算し、前記割引額および減算後の商品の合計金額を前記仮想ショッピングカートの記憶領域に記憶させるとともに、前記減算後の合計金額を表示する合計金額確認画面を生成して前記ユーザ端末に送信し、前記セッションが消滅した場合には、前記消滅したセッションのセッションＩＤに対応する前記ユーザの前記仮想ショッピングカートの記憶領域から、前記アフィリエイトコンテンツの割引額の情報を消去することで、前記割引額の適用のない前記仮想ショッピングカートの記憶領域に記憶された商品の合計金額を表示する合計金額確認画面を生成して前記ユーザ端末に送信するようになっている、商品販売システムのように構成することもできる。
【手続補正５】
【補正対象書類名】明細書
【補正対象項目名】００２０
【補正方法】変更
【補正の内容】
【００２０】
また前記商品販売システムは以下のように構成することも出来る。すなわち、前記合計金額確認画面生成部は、前記商品サーバと前記ユーザ端末とが同一のセッションＩＤによりセッションが確立されている間に前記合計金額確認画面生成処理を行うようになっており、前記合計金額確認画面生成処理は、前記ユーザの特性情報と、前記仮想ショッピングカートに記憶されている商品または商品のカテゴリーと、に対応するアフィリエイトコンテンツをコンテンツ記憶部から抽出し、前記抽出したアフィリエイトコンテンツの識別情報と、前記ユーザが過去に指定したアフィリエイトコンテンツの識別情報とを比較し、抽出したアフィリエイトコンテンツが、過去に指定したアフィリエイトコンテンツの場合には、ほかのアフィリエイトコンテンツを前記コンテンツ記憶部から抽出し、前記仮想ショッピングカートの記憶領域に記憶された商品の合計金額と前記抽出したアフィリエイトコンテンツとを表示する合計金額確認画面を生成して前記ユーザ端末に送信し、前記表示したアフィリエイトコンテンツのうち、前記ユーザにより指定されたアフィリエイトコンテンツに対応する所定の操作が前記ユーザ端末から行われると、前記指定されたアフィリエイトコンテンツの識別情報を一時記憶し、前記指定されたアフィリエイトコンテンツの割引額を前記合計金額から減算し、前記割引額および減算後の商品の合計金額を前記仮想ショッピングカートの記憶領域に記憶させるとともに、前記減算後の合計金額を表示する合計金額確認画面を生成して前記ユーザ端末に送信し、前記減算後の合計金額により注文確定処理が行われた後、前記一時記憶した前記指定されたアフィリエイトコンテンツの識別情報を、所定の記憶領域に記憶させることで、前記指定されたアフィリエイトコンテンツをすでに指定したアフィリエイトコンテンツとし、前記注文確定処理の前に前記セッションが消滅した場合には、前記消滅したセッションのセッションＩＤに対応する前記ユーザの前記仮想ショッピングカートの記憶領域から、前記アフィリエイトコンテンツの割引額の情報を消去し、前記一時記憶した前記指定されたアフィリエイトコンテンツの識別情報を消去し、前記セッションとは異なるセッションが確立されると、前記割引額の適用のない前記仮想ショッピングカートの記憶領域に記憶された商品の合計金額を表示する合計金額確認画面を生成して前記ユーザ端末に送信するようになっている、商品販売システムのように構成することもできる。